(57)【要約】【課題】  本発明は、入浴者に合った負担のかからない傾斜を確保することができる浴槽用背もたれ具を提供することを目的とするものである。【解決手段】  本発明の浴槽用背もたれ具１は、硬質プラスチックによって臀部載置部２および背もたれ支持部３並びに頭部支持部４が一体的に形成されるものであり、背もたれ支持部３は背骨の曲がりに応じて曲面形状に形成されているために背中に無理な姿勢を強制することなく自然な状態での背もたれが可能となる。【選択図】        図１
2005329047.tif 000002
【特許請求の範囲】
【請求項１】
臀部より首の付根まで背骨の曲がりに応じた曲面を有する背もたれ支持部と、
前記背もたれ支持部の上部に設けられる頭部支持部を備える
ことを特徴とする浴槽用背もたれ具。
【請求項２】
前記頭部支持部に芳香剤収納部を設けた
ことを特徴とする請求項１に記載の浴槽用背もたれ具。
【請求項３】
前記背もたれ支持部に高さ調整機構を設けた
ことを特徴とする請求項１または２に記載の浴槽用背もたれ具。
【発明の詳細な説明】
【技術分野】
【０００１】
本発明は浴槽用背もたれ具に関する。詳しくは浴槽内で背中の曲がりに応じた状態での背もたれを可能とする浴槽用背もたれ具に係るものである。
【背景技術】
【０００２】
一般に、入浴は浴槽内で足を投げ出して浴槽の内壁に入浴者の背中をもたれかけさせているのが現状である。
この場合には浴槽の内壁が硬く、頭部を支持するものがないために特に高齢者や障害者にとっては大きな負担となっている。
【０００３】
そこで入浴者の頭や背中を支持するものとして、例えば図７に示すような発明がある。この浴槽背もたれマットは、背もたれ部１０１および頭部支持部１０２からなる柔軟性を有する発泡樹脂製のマットと、マットに固定され浴槽に取り付けるための吸盤１０３から構成される（特許文献１参照。）。
【０００４】
【特許文献１】特開２００１−１６９９５０号（要約書、第１図）
【発明の開示】
【発明が解決しようとする課題】
【０００５】
しかしながら前記浴槽背もたれマットは、浴槽１０４の内壁面１０５に背もたれ部１０１を吸盤１０３によって固定するために入浴者１０６の背中は内壁面に沿った状態で支持されることになり、内壁面１０５の傾斜角度によっては背中が曲がりかけた高齢者にとっては窮屈な姿勢を強いられることになる。
【０００６】
また、入浴はぬるま湯で長い時間浸かるのが健康によいが、例えばリクライニング椅子のように腰部から後頭部まで脊髄の曲がりに応じたような傾斜であることが身体に負担がかからずに気持ち良く入浴をすることが可能となるが浴槽背もたれマットは浴槽の内壁面に吸盤によって固着されるために負担のかからない傾斜角度を確保することができないという問題点がある。
【０００７】
本発明は、以上の点に鑑みて創案されたものであって、入浴者に合った負担のかからない傾斜を確保することができる浴槽用背もたれ具を提供することを目的とするものである。
【課題を解決するための手段】
【０００８】
上記の目的を達成するために、本発明に係る浴槽用背もたれ具は、臀部より首の付根まで背骨の曲がりに応じた曲面を有する背もたれ支持部と、前記背もたれ支持部の上部に設けられる頭部支持部を備える。
【０００９】
ここで、臀部より首の付根までの長さとした背もたれ支持部を形成することで臀部によって背もたれ支持部の下端を浴槽の底面に押し付け、浴槽の内壁側に背もたれ支持部を倒すことによって自身に合った傾斜を確保することが可能となる。
【００１０】
また、頭支持部に芳香剤収納部を設け、この芳香剤収納部に香料や芳香剤を入れることによって入浴中のリラクゼーションを実現することが可能となる。
【００１１】
更に、背もたれ支持部に高さ調整機構を設けることにより座高の高さに応じて背もたれ支持部を調整することが可能となる。
【発明の効果】
【００１２】
以上述べてきたごとく本発明によれば、背もたれ支持部を浴槽の内壁面に取り付けるのではなく、自身の好みに合った傾斜に背もたれ支持部を調整することができ、かつ背もたれ支持部が背骨の曲がりに応じた曲面とされることから自然な姿勢での入浴が可能となる。
【００１３】
また、頭支持部に芳香剤収納部を設け、香料などを入れることにより自然な状態での背もたれと精神的にやすらぎを与える香りによって入浴者は非常にリラックスした状態を得ることが可能となる。
【発明を実施するための最良の形態】
【００１４】
以下、本発明の実施の形態を図面を参酌しながら説明し、本発明の理解に供する。
図１に、本発明を適用した浴槽用背もたれ具の一例を説明するための斜視図、図２に図１における断面図を示す。
【００１５】
ここで示す浴槽用背もたれ具１は、硬質プラスチックによって臀部載置部２および背もたれ支持部３並びに頭部支持部４が一体的に形成されるものである。
【００１６】
臀部載置部２は、入浴者の臀部によって浴槽の底面に固定することができるように底面が水平状となるように形成され、かつ上面が臀部にフィットするように凹曲面形状に形成される。
【００１７】
そして背もたれ支持部３は臀部載置部２より立ち上がったような状態で形成されるものであり、この背もたれ支持部３は一般的な背骨の曲がりに応じて湾曲形状に形成されるものである。
【００１８】
次に頭部支持部４は、首の付根から後頭部を支承するように背もたれ支持部３の中央より立ち上がり、首の付根を押圧支持できるように形成される膨出部５と後頭部の曲面にそって支承する凹部６が形成されるものである。
【００１９】
また、図３に示すように頭部支持部４の裏面側には芳香剤収納部７が形成されるものであり、この芳香剤収納部７の上面には芳香剤投入口８が開口され、頭部支持部４両側面には芳香放出孔９が芳香剤収納部７と連通状となるように穿孔されるものである。
したがって芳香剤収納部７内に収納された芳香剤の香りが芳香放出孔８より放出されることになる。
【００２０】
次に図４に示すように、臀部載置部２が背もたれ支持部３に対して連結用突起部９および連結用穴部１０との嵌合による連結機構１１によって自在に連結できる機構とする。これにより図５に示すように、例えば座高の高い入浴者の場合には臀部載置部２の立ち上がりを図４で示した臀部載置部より高くしたものに替えることによって浴槽用背もたれ具１の高さ調整を行うことが可能となる。
【００２１】
なお、浴槽用背もたれ具は必ずしも硬質プラスチックによって一体的に形成される必要性は無く、木製や金属製などいかなるものであっても良いが、水に沈降し、軽量かつ衛生的である硬質プラスチックなどの合成樹脂素材により形成することが望ましい。
【００２２】
また、連結機構は必ずしも連結用突起部および連結用穴部との嵌合による必要性は無く、互いに連結できるものであればいかなる連結機構であっても構わない。
【００２３】
以上の構成よりなる本発明の浴槽用背もたれ具は図６に示すように、まず入浴者１２は浴槽１３に浴槽用背もたれ具１を沈め、頭部支持部４を浴槽１３の上端開口縁に係留させながら臀部載置部２を浴槽１３の内壁面１４より背もたれ支持部３が入浴者１２の好みに合った傾斜となるまで間隔を設ける。
【００２４】
次に臀部載置部２の位置が決まってときに入浴者１２は臀部載置部２上に腰をおろすことにより浴槽１３の底面に臀部載置部２を固定することができ、この状態から背もたれ支持部３にもたれかかることにより背中および首の付根並びに後頭部が背もたれ支持部３と頭部支持部４によって支持されることになる。
したがって頭部支持部により首の付根から頭部が固定されることで、その下部の胴部が吊り下がった状態で背もたれ支持部によって背中が支持されることで、ごく自然の状態での背もたれが可能となる。
【００２５】
そこで背もたれ支持部は背骨の曲がりに応じて曲面形状に形成されているために背中に無理な姿勢を強制することなく自然な状態での背もたれが可能となる。更に頭部支持部によって首の付根と後頭部が同時に支持されることで背中と頭部が一体的に支持され長い時間での入浴を可能とするものである。
【００２６】
また、芳香剤収納部に入浴者の好みの芳香剤を収納することにより入浴者は入浴の最中に香りによって心身ともにリフレッシュすることが可能となる。
【図面の簡単な説明】
【００２７】
【図１】本発明を適用した浴槽用背もたれ具の一例を説明するための斜視図である。
【図２】図１における断面説明図である。
【図３】本発明を適用した浴槽用背もたれ具の芳香剤収納部の一例を示す説明図である。
【図４】本発明を適用した浴槽用背もたれ具の臀部支持部の連結機構の一例を示す説明図である。
【図５】図４において高さ調整を行うために臀部支持部を取り替えた状態を示す説明図である。
【図６】本発明を適用した浴槽用背もたれ具の使用状態を示す説明図である。
【図７】従来の浴槽用背もたれ支持具の一例を示す説明図である。
【符号の説明】
【００２８】
１      浴槽用背もたれ具
２      臀部載置部
３      背もたれ支持部
４      頭部支持部
５      膨出部
６      凹部
７      芳香剤収納部
８      芳香放出孔
９      連結用突起部
１０    連結用穴部
１１    連結機構
１２    入浴者
１３    浴槽
１４    内壁面
【図１】
2005329047.tif 000003
【図２】
2005329047.tif 000004
【図３】
2005329047.tif 000005
【図４】
2005329047.tif 000006
【図５】
2005329047.tif 000007
【図６】
2005329047.tif 000008
【図７】
2005329047.tif 000009